(57)【要約】【課題】バスダクトを容易に固定できる、施工性に優れるバスダクト用固定金具を提供する。【解決手段】頂部に係止部１ｂ、２ｂが設けられ、基部にボルト穴部１ｄ、２ｄが設けられた一対の分割片１、２からなり、一対の分割片１、２はそれぞれバスダクト３の両側に配され、係止部１ｂ、２ｂはバスダクト頂面３ａ側で相互に係止され、ボルト穴部１ｄ、２ｄはバスダクト設置面４ａにボルト５で固定されるバスダクト用固定金具。本発明のバスダクト用固定金具は、一対の分割片からなるのでバスダクトの上方に障害物が存在していても、バスダクトの所定箇所に容易に配置できる。また前記一対の分割片は係止部を係止して連結するので、上方に障害物が存在していても容易に連結できる。従って施工性に優れる。【選択図】図２
2006296124.tif 000002
【特許請求の範囲】
【請求項１】
頂部に係止部が設けられ、基部にボルト穴部が設けられた一対の分割片からなり、前記一対の分割片はそれぞれバスダクトの両側に配され、前記係止部はバスダクト頂面側で相互に係止され、前記ボルト穴部はバスダクト設置面にボルトで固定されることを特徴とするバスダクト用固定金具。
【発明の詳細な説明】
【技術分野】
【０００１】
本発明は、バスダクトを容易に固定できる、施工性に優れるバスダクト用固定金具に関する。
【背景技術】
【０００２】
バスダクトは導体を函体（ハウジング）内に収容して構成されたもので、電力ケーブルに較べて火災や磁束漏洩が起き難いため工場やビルの主電力供給ラインとして広く用いられている（特許文献１）。
【０００３】
ところで、前記バスダクトは、床或いは天井から吊り下げられた受け架台などの設置面に固定金具により固定して設置されている。
前記固定金具には、従来より、図３（イ）、（ロ）に示すように、一対の分割片１１、１２をそれぞれバスダクト３の両側に配し、前記一対の分割片１１、１２の頂部をバスダクト３頂面側でボルト締めして連結し、基部のボルト穴部１１ｂ、１２ｂをそれぞれバスダクト設置面にボルト締めする３点ボルト締めの固定金具が用いられていた。しかし、この固定金具は、ボルト締め箇所が３箇所もあり、しかも上方に障害物が存在する場合は頂部のボルトが締め難く、施工性に問題があった。
【０００４】
そこで、図４（イ）、（ロ）に示すような、頂部が連結した一体ものの断面π型の固定金具１３が提案された。しかし、この固定金具は、一体もので幅があるため、バスダクトの上方に障害物が存在する場合は固定金具１３をバスダクト３の所定箇所に配置するのに手間を要し、場合によっては固定金具１３が障害物と擦れ合って塗装面に傷が付いたりし、やはり施工性に問題があった。
【０００５】
【特許文献１】特開２００４−１０４８９６号公報
【発明の開示】
【発明が解決しようとする課題】
【０００６】
本発明は、施工性に優れるバスダクト用固定金具の提供を目的とする。
【課題を解決するための手段】
【０００７】
請求項１記載発明は、頂部に係止部が設けられ、基部にボルト穴部が設けられた一対の分割片からなり、前記一対の分割片はそれぞれバスダクトの両側に配され、前記係止部はバスダクト頂面側で相互に係止され、前記ボルト穴部はバスダクト設置面にボルトで固定されることを特徴とするバスダクト用固定金具である。
【発明の効果】
【０００８】
本発明のバスダクト用固定金具は、一対の分割片からなるのでバスダクトの上方に障害物が存在していてもバスダクトの所定箇所に容易に配置できる。また前記一対の分割片は係止部を係止して連結するので、上方に障害物が存在していても容易に連結できる。従って施工性に優れる。
【発明を実施するための最良の形態】
【０００９】
以下に、本発明を、図を参照して具体的に説明する。
なお、本発明を説明するための全図において符号の繰り返しの説明は省略する。
図１は本発明の固定金具の実施形態を示す斜視図である。
この固定金具は、一対の分割片１、２からなり、前記分割片１、２は、それぞれ頂部が内側に直角に曲げられて内曲げ部１ａ、２ａが形成され、その先がさらに上方に直角に曲げられて係止部１ｂ、２ｂが設けられている。一方、基部は外側に直角に曲げられてそれぞれ外曲げ部１ｃ、２ｃが形成され、そこにそれぞれボルト穴１ｄ、２ｄが設けられている。内曲げ部１ａ、２ａはそれぞれ幅が半減されていて、分割片１、２を相互に係止したときに、両係止部１ｂ、２ｂが全長に亘り接触するように形成されている。
【００１０】
図２は本発明の固定金具の使用形態を示す（イ）正面説明図、（ロ）平面図、（ハ）側面図である。
バスダクト３の両側に一対の分割片１、２が配されており、その係止部１ｂ、２ｂはバスダクト３の頂面３ａ側で相互に係止して連結されている。またボルト穴部１ｄ、２ｄは受け架台４の上面（バスダクト設置面）４ａにボルト５およびナット６により固定されている。図２で７は導体、８は導体を収容する函体、９は導体７を函体８に取り付けるためのビス（ねじ釘）、９ａは雌ねじ片、１０は受け架台４を天井（図示せず）に吊り下げるための吊りボルトである。１４は吊りボルト１０を受け架台４に固定するための固定部材である。
【００１１】
図２に示した固定構造は、例えば、一方の分割片１をバスダクト３の一側面に配置し、その外曲げ部１ｃを架台４上面４ａにボルト５とナット６により固定し、次いで他方の分割片２をバスダクトの他側面に配し、この係止部２ｂを分割片１の係止部１ｂに係止させ、次いでその外曲げ部２ｃを架台４上面４ａにボルト５とナット６により固定することにより容易に形成できる。
【００１２】
係止部１ｂ、２ｂを係止させたときの分割片１、２の間隔Ｄ（図１参照）はバスダクト３の幅より若干小さくしておくとバスダクト３の固定がより強固になされる。前記間隔Ｄがバスダクト３の幅より大きいときは係止部１ｂ、２ｂ間にライナを挟むことにより対処できる。
【００１３】
本発明の固定金具は、切削などの機械加工、板金加工、鋳造、溶接或いはろう付けなどの任意の方法により、或いはこれらを組み合わせることにより容易に製造できる。
【００１４】
本発明において、係止部の形状は相互に係止できる形状であれば任意である。また固定金具の材料には、アルミ合金材、鉄材などが強度およびコストの点で推奨される。
【図面の簡単な説明】
【００１５】
【図１】本発明の固定金具の実施形態を示す斜視図である。
【図２】本発明の固定金具の使用例を示す（イ）正面説明図、（ロ）平面説明図、（ハ）側面説明図である。
【図３】従来の３点ボルト締め固定金具の（イ）正面説明図、（ロ）側面説明図である。
【図４】従来のπ型固定金具の（イ）正面説明図、（ロ）側面説明図である。
【符号の説明】
【００１６】
１  一方の分割片
１ａ一方の分割片の内曲げ部
１ｂ一方の分割片の係止部
１ｃ一方の分割片の外曲げ部
１ｄ一方の分割片の基部に設けられたボルト穴部
２  他方の分割片
２ａ他方の分割片の内曲げ部
２ｂ他方の分割片の係止部
２ｃ他方の分割片の外曲げ部
２ｄ他方の分割片の基部に設けられたボルト穴部
３  バスダクト
３ａバスダクトの頂面
４  受け架台
４ａ受け架台の上面（バスダクト設置面）
５  ボルト
６  ナット
７  導体
８  導体を収容する函体
９  導体を函体に取り付けるためのビス（ネジ釘）
９ａ雌ねじ片
１０受け架台を天井に吊り下げるための吊りボルト
１１、１２従来の固定金具の一対の分割片
１１ａ、１２ａ頂部のボルト穴部
１１ｂ、１２ｂ基部のボルト穴部
１３従来の断面π型の固定金具
１４固定部材
【図１】
2006296124.tif 000003
【図２】
2006296124.tif 000004
【図３】
2006296124.tif 000005
【図４】
2006296124.tif 000006